(57)【要約】      （修正有）【課題】頁物印刷物作成に不可欠な作業となる頁掛数の決定を容易化させ、頁物印刷物の作成に必要な各種数値の決定事務を効率化させる頁物印刷物の作成支援装置を提供する。【解決手段】作成する頁物印刷物の頁数、部数、仕上がりサイズ、および製本様式の設定を受け付ける初期設定部１０と、作成する頁物印刷物に使用する用紙の用紙名、原紙サイズ、用紙連量、刷色数の設定を受け付ける基本項目設定部２０とを備える。さらに、前記初期設定部１０を介して設定した前記頁数、仕上がりサイズおよび前記製本様式と、基本項目設定部２０を介して設定した原紙サイズとに基づいて、頁掛数を算出する頁掛数処理部３０を備える。【選択図】図１
0003177655.tif 000002
【実用新案登録請求の範囲】
【請求項１】
作成する頁物印刷物の頁数、部数、仕上がりサイズ、および製本様式の設定を受け付ける初期設定手段と、
作成する出版物に使用する用紙の用紙名、原紙サイズ、用紙連量（用紙の厚さ）、刷色数の設定を受け付ける基本項目設定手段とを備え、
少なくとも、前記初期設定手段を介して設定した頁数、仕上がりサイズおよび製本様式と、前記基本項目設定手段を介して設定した原紙サイズとに基づいて、頁掛数を算出する頁掛数処理部を備えることを特徴とする頁物印刷物の作成支援装置。
【請求項２】
請求項１記載の頁物印刷物の作成支援装置であって、
初期設定手段を介して設定した頁物印刷物の頁数および部数と、
頁掛数処理部によって算出された頁掛数とに基づき、
基本項目設定手段を介して設定した用紙の、必要な全判換算正味枚数を算出する全判換算正味枚数算出部を備えることを特徴とする請求項１記載の頁物印刷物の作成支援装置。
【請求項３】
請求項２記載の頁物印刷物の作成支援装置であって、
初期設定手段を介して設定した頁物印刷物の頁数および部数と、
頁掛数処理部によって算出された頁掛数とに基づき、
印刷に必要な台数を算出し適切な台割りを決定処理する台数算出部を備えることを特徴とする請求項２記載の頁物印刷物の作成支援装置。
【請求項４】
請求項３記載の頁物印刷物の作成支援装置であって、
基本項目設定手段を介して設定した刷色数と台数算出部の算出結果から、刷版作業に必要な刷版数を算出する刷版数算出部を備えることを特徴とする請求項３記載の頁物印刷物の作成支援装置。
【請求項５】
請求項４記載の頁物印刷物の作成支援装置であって、
初期設定手段を介して設定した頁物印刷物の頁数および部数と、頁掛数処理部によって算出された頁掛数とに基づき、印刷に必要な通し枚数を算出する通し枚数算出部と、
予定すべき全判換算損紙枚数を算出すべく、通し枚数に基づいて設定した損紙通し枚数テーブルを格納した損紙通し枚数格納部と、
前記通し枚数算出部の算出結果と前記損紙通し枚数格納部の損紙通し枚数テーブルとに基づいて、全判換算損紙枚数を算出する全判換算損紙枚数算出部とを備えることを特徴とする請求項４記載の頁物印刷物の作成支援装置。
【考案の詳細な説明】
【技術分野】
【０００１】
本考案は、オフセット枚葉機を用いて頁物印刷物を作成するための支援装置に係り、頁物印刷物を構成する諸部分をオフセット枚葉機を用いて印刷する際に要する事前準備を効率的に行うための装置に関する。
【０００２】
頁物印刷物（一般書籍類、研究報告書類、図録、タウン誌、パンフレット、プログラム等）の印刷は、サイズ、部数、表紙の体裁、使用する本文用紙のグレードなど、依頼者と印刷業者との間で事前に打ち合わせておくべき項目が多く、数パターンの見積を要求されることがほとんどである。印刷前の打ち合わせで決めた各種内容に応じて印刷業者の事前準備も異なるし、要する費用も異なる。
【０００３】
印刷機の種類は各種あるが、高品質で比較的小ロットの印刷物を印刷する前記のオフセット枚葉機と、端物と呼ばれる一枚物の印刷物（チラシ、ポスター、リーフレット）や、比較的品質を問われることのない雑誌等の頁物で、数十万部から数百万部もの部数を大量に印刷する際に用いられるオフセット輪転機が、現在の主流である。
【０００４】
従来、印刷業者は、依頼者との打ち合わせの後、費用の概算を独自に計算し、それを依頼者に連絡するとともに、打ち合わせの内容に変更があれば、計算をし直して再度連絡を行う等の煩雑な手間を要していた。
【０００５】
とくに、オフセット枚葉機による印刷の場合、500枚あるいは250枚で一包みになった全判の用紙を紙卸業者から仕入れる。その際、一包みに満たない用紙の単価は一包み当たりの用紙単価の約５割り増しとなる。頁数、部数によって変化するこの端数用紙の枚数計算、価格計算は、印刷物の価格積算の煩雑さの一つである。オフセット輪転機に用いる用紙はロール状であり、基本的には端数用紙の価格割り増しはない。
【０００６】
頁物印刷物の場合、本文箇所に限ってだけみても、打ち合わせの後に印刷業者が行うチェック項目は多岐にわたる。例えば、用紙の仕上がりサイズ、頁数、製本様式（綴じ方等）に応じて一枚の原紙に印刷できる印刷頁面の数（個数）を決める頁掛数（面付数）の決定から始まって、印刷に必要となる用紙の準備枚数、仕入価格の算出、刷版時のPS版の版数（使用枚数）、面付料金、焼付料金の算出、印刷時の台数、通し枚数、組付料金、通し料金の算出等を行わなければならない。印刷に必要となる用紙の準備枚数を決めるにしても、印刷に絶対必要となる正味枚数と、印刷ミス等を考慮した損紙枚数の計算が必要である。オフセット枚葉機による印刷においては、前記の一包みに満たない端数用紙の価格計算とともに、これらすべてが一枚の原紙に印刷できる印刷頁面の数と部数その他によって変わるので、その都度、電卓を用いた煩雑な計算を必要としていた。
【０００７】
なお、刷版時の面付処理を行うための装置は各種提案されている（例えば、特許文献１、特許文献２）。
【先行技術文献】
【特許文献】
【０００８】
【特許文献１】特開２０１１−０７０４４９号
【特許文献２】特開２０１２−０００７７３号
【考案の開示】
【考案が解決しようとする課題】
【０００９】
本考案が解決しようとする課題は、頁物印刷物をオフセット枚葉機で印刷する場合に必要となる、頁掛数、仕入用紙の枚数、価格、刷版時のPS版の版数（使用枚数）、面付料金、焼付料金、印刷時の台数、通し枚数、組付料金、通し料金等の煩雑な計算を自動化し、迅速化・正確化することである。
【００１０】
枚葉機で印刷するにせよ輪転機で印刷するにせよ、端物と呼ばれる一枚物の印刷や、同じく頁物ではあってもオフセット輪転機で印刷する場合の計算方法を、頁物印刷物をオフセット枚葉機で印刷する場合に適用することはできない。それは以下の通りである。
【００１１】
Ａ全判（880mm×625mm）の原紙に両面フルカラー（４色）印刷、仕上がりサイズがＡ４判（210mm×297mm）の端物（チラシ等）は８面（４面×２面）面付けすることができる。これを10,000部印刷するには、全判換算の原紙1,250枚が正味枚数として必要になる。損紙を100枚付けても1,350枚である。両面フルカラー（４色）印刷であるから版数は８、台数は２、通し枚数は1,250である。
【００１２】
一包み500枚、一包み内の用紙単価10円、端数用紙単価15円の用紙を用いるとすると、仕入れなければならない用紙の金額は、(10×500×2)＋(15×350)＝15,250円である。これに対して、頁物印刷物の計算方法は以下の通りである。
【００１３】
Ａ全判（880mm×625mm）の原紙に両面フルカラー（４色）印刷、仕上がりサイズがＡ４判（210mm×297mm）、120頁、1,000部の頁物は、端物と同じく８面（４面×２面）面付けすることができる。この面付けを頁物の場合には頁掛けという。図４は、従来の端物印刷における用紙の面付状態を例示するものである（特許文献１）。１は用紙および印刷面である。また、図５は、頁物印刷における用紙の表の頁掛状態を例示したものである。２は用紙で、用紙２上に複数の印刷面を設ける。裏面にも同じように複数個の頁掛処理を行う（図示せず）。
【００１４】
しかし、ここでＡ全判両面に印刷できる頁数は16頁である。従って、必要な用紙の枚数と金額、刷版の版数と料金、印刷の台数と通し枚数は、16頁掛け×14台（１丁掛け1,000通し）＝112頁の分と８頁掛け×２台（２丁掛け、500通し）＝８頁の分とに分けて計算しなければならない。また、版数は、４色×２面×８台＝64であり、必要となる原紙の正味枚数は、それぞれ7,000枚＋500枚＝7,500枚である。
【００１５】
従って、端物における単純な計算方法は、枚葉機、輪転機に関わらず、頁物に適用することができないのである。また、輪転機による頁物の印刷の場合、仕入れる用紙の端数計算が基本的には必要ないので、その計算方法を枚葉機による頁物の印刷に適用することもできない。紙卸業者から提示される用紙価格は包み金額、端数金額共に印刷会社によって異なっており、従来の汎用的な見積ソフトでは正確な計算ができなかった。
【００１６】
このため、印刷会社の営業担当は、頁掛数、仕入用紙の枚数、価格、刷版時のPS版の版数（使用枚数）、面付料金、焼付料金、印刷時の台数、通し枚数、組付料金、通し料金等を決定するために大きな労力を要し、事務効率を低下させている。これらの計算は複雑なので、これらを大ざっぱに決めて費用の概算を見積もる場合もある。しかし、大ざっぱな費用概算では、競合する印刷業者との価格競争に勝てない場合もあるし、価格競争に勝つために低い概算を提示すれば、実際に要する印刷費用にも満たない金額となって、損失が生じることもある。
【００１７】
しかし、今まで最も複雑で多大なる労力を要していた上記の各種数値の計算こそ、実は、最も速く自動計算しうるものなのである。そこで、本考案の目的は、オフセット枚葉機を用いた頁物印刷物の印刷作業の特殊性に鑑みて、頁物作成に必要不可欠な作業となる頁掛数の決定を容易化させることに始まり、頁物の作成に必要な各種数値を決定可能として事務効率を向上させる点にある。
【課題を解決するための手段】
【００１８】
前記目的を達成するため、本考案に係る頁物印刷物の作成支援装置は、作成する頁物印刷物の頁数、部数、仕上がりサイズ、および製本様式の設定を受け付ける初期設定手段と、作成する頁物印刷物に使用する用紙（原紙）の用紙名、原紙サイズ（用紙の大きさ）、用紙連量（用紙の厚さ）、刷色数の設定を受け付ける基本項目設定手段とを備え、少なくとも、前記初期設定手段を介して設定した前記頁数、仕上がりサイズおよび前記製本様式と、基本項目設定手段を介して設定した原紙サイズとに基づいて、頁掛数を算出する頁掛数処理部を備える（請求項１）。
【００１９】
頁掛数は、頁物印刷物の頁数、仕上がりサイズ（用紙の裁断寸法）、製本様式（綴じ方、余白サイズ、ドブサイズ、トンボサイズ等）、および原紙サイズによって決定できる。これらの組み合わせは多岐にわたるが、前記製本様式の数値が完全に正確なものではなくても、仕上がりサイズと原紙サイズから頁掛数を決定し、損失のでない高い精度の頁掛数を確認することができる。
【００２０】
これにより、台割計算と端数頁の処理が容易になると同時に、その他、以下に続く様々な数値計算の基礎が作られる。また、頁物印刷物の依頼があった後、速やかに費用概算を依頼者（発注者）に提示でき、事務効率を向上させることが可能となる。
【００２１】
請求項２は請求項１記載の頁物印刷物の作成支援装置を前提として、初期設定手段を介して設定した頁物印刷物の頁数および部数と、頁掛数処理部によって算出された頁掛数とに基づき、基本項目設定手段を介して設定した原紙の全判換算正味枚数を算出する正味枚数算出部を備えるものである。
【００２２】
オフセット枚葉機を用いた印刷業務では、当該枚葉機を通す用紙枚数によって費用が変わる。このため、最小限の用紙枚数（正味枚数：総頁を取るのに必要な全判枚数に部数を掛けた値）を知ることが必要であるが、頁物印刷物の頁数と部数、および頁掛数に基づけば、この値は、損失が出ない範囲において正確に算出できる。恣意や経験に基づく値ではないので信頼性は高い。
【００２３】
請求項３は、請求項２記載の頁物印刷物の作成支援装置を前提として、初期設定手段を介して設定した頁物印刷物の頁数および部数と、頁掛数処理部によって算出された頁掛数とに基づき、印刷に必要な台数を算出し適切な台割りを決定処理する台数算出部を備えるものである。
【００２４】
印刷時の台数は、基本項目設定手段を介して設定される刷色数とともに印刷物の製造原価に多大な影響を与える。台数とは、印刷を実行する前に印刷機にセットするPS版（アルミニウムに感光剤を塗布したPre-Sensitized Plate）の組み付け回数（表裏で２回）のことである。１色刷り（PS版２枚）でも４色刷り（PS版８枚）でも、１度のセットは１台と呼ばれる。８台あれば８度の組み付けが必要であり、その回数分の組付料金が発生する。台数は、頁掛数、刷色数とともに刷版料金（面付料金＋焼付料金）と印刷料金（組付料金＋通し料金）算出の基礎となる数値であるが、以下に述べる台割り計算による補正を必要とすることがある。
【００２５】
すでに「００１３」において示した例の場合、８台目は他の１台目から７台目の頁掛方法とは異なり、頁掛けを２丁掛けとし、通し枚数を半分とする補正処理を行わなければならない。８台目の裏の印刷も同様である。さもなければ、仕入れる用紙枚数に無駄が生じることとなる。このような煩雑な台割り計算も、台数算出部によって迅速・正確に実行することができる。
【００２６】
請求項４は、請求項３記載の頁物印刷物の作成支援装置を前提として、基本項目設定手段を介して設定した刷色数と台数算出部の算出結果から、刷版作業に必要な刷版数を算出する刷版数算出部を備えるものである。
【００２７】
印刷会社の営業担当が処理すべき見積計算では、刷版数も重要な計算基礎となる。刷版数を、刷色数と台数算出部の算出結果に基づいて算出する構成とすれば、略正確な数値を容易に得ることが出来る。刷版に用いられるPS版が印刷物の製造原価に占める割合は大きく、ここ２０年、版下制作のコンピュータ化とともに、製造原価の圧縮のために、紙版→フィルム→ＣＴＰと刷版方法は目まぐるしく移り変わってきた。速乾性のＵＶインキを使用することができる印刷機を所有している印刷会社では、打ち返しという頁掛（面付）手法を用いて印刷機の通し枚数を倍にして刷版数を半分にし、製造原価を圧縮することが日常茶飯事に行われている。この刷版数算出部によれば、このような煩雑な刷版料金と印刷料金の計算を、特に刷版料金の面で迅速かつ正確に行い、確実に利益を確保することができる刷版料金を知ることができる。
【００２８】
請求項５は、請求項４に係る装置を技術的前提として、初期設定手段を介して設定した頁物印刷物の頁数および部数と、頁掛数処理部によって算出された頁掛数とに基づき、印刷に必要な通し枚数を算出する通し枚数算出部と、予定すべき全判換算損紙枚数を算出すべく、通し枚数に基づいて設定した損紙通し枚数テーブルを格納した損紙通し枚数格納部と、前記通し枚数算出部の算出結果と前記損紙通し枚数格納部の損紙通し枚数テーブルとに基づいて、全判換算損紙枚数を算出する全判換算損紙枚数算出部とを備えることを特徴とするものである。
【００２９】
通し枚数算出部において算出する通し枚数は、１色であっても４色であっても通した用紙の枚数であり、頁物印刷物の場合、通し枚数＝台数×部数で求められる。オフセット印刷の版は高速で回転接触するため、版の表面が摩耗してインキののりが悪くなる。このため通し枚数の多い仕事では、一定数で版を取り替える。この一定数を耐刷力といい、オフセット枚葉機の場合、平均耐刷力は５万〜10万枚である。通し枚数算出部では、複版の版数とその刷版料金の計算も為される。
【００３０】
損紙は、印刷ミスや用紙の破損によって発生するが、これも費用概算値を左右する。従来は、担当者の経験に基づく設定をすることが多かったが、損紙は、刷色数と通し枚数とに基づいて略正確に値を想定できる。これをテーブルデータとして備え、通し枚数算出部の算出結果に基づいて、予定される損紙数を得ることにより、採算ラインを確保した上で略正確な最低限の損紙枚数を得ることができる。
【考案の効果】
【００３１】
本考案に係る頁物印刷物の作成支援装置によれば、オフセット枚葉機を用いた頁物印刷物作成に不可欠な作業となる各種の事前準備、とくに頁掛数、仕入用紙の枚数、価格、刷版時のＰＳ版の版数（使用枚数）、面付料金、焼付料金、印刷時の台数、通し枚数、組付料金、通し料金等の煩雑な計算を自動化することによって、営業事務の効率と正確さを飛躍的に向上させることができる。
【図面の簡単な説明】
【００３２】
【図１】第一の実施形態に係る頁物印刷物の作成支援装置を例示するブロック図である。
【図２】第二の実施形態に係る頁物印刷物の作成支援装置を例示するブロック図である。
【図３】第三の実施形態に係る頁物印刷物の作成支援装置を例示するブロック図である。
【図４】端物の面付処理を例示する図である。
【図５】頁物の頁掛（面付）処理を例示する図である。
【考案を実施するための形態】
【００３３】
図１は、本考案に係る頁物出版物の作成支援装置の第一の実施形態を示す図である。この作成支援装置は、各種項目の設定を受け付ける初期設定部（初期設定手段）１０と基本項目設定部（基本項目設定手段）２０とを備えるとともに、これらに基づいて頁掛数を算出する頁掛数処理部３０とを備える。
【００３４】
初期設定部１０は、少なくとも、頁数、部数、仕上がりサイズ、および製本様式の設定を受け付ける。頁数、部数、仕上がりサイズは、適宜の入力手段、例えばテンキーを介して各々の数値を個別に入力可能とする。製本様式は、例えば、選択メニューから綴じ方を選択入力させ、選択した項目を受け付ける。綴じ方の選択メニューとしては、例えば、アジロ綴じ、無線綴じ、中綴じ、平綴じ、糸綴じ、官報綴じがある。製本様式の設定項目中には、版下制作時あるいは刷版時と製本時に必要となる天地余白、左右余白、打ち返し幅、トンボ、横ドブ、縦ドブ、背ドブなどの設定項目を入力するボックスも存在する。
【００３５】
基本項目設定部２０は、少なくとも、作成する頁物印刷物に使用する用紙の用紙名、原紙サイズ、用紙連量（用紙の厚さ）、刷色数の設定を受け付ける。用紙名と原紙サイズ、用紙連量は、選択メニューに用意した項目から該当するものを選択入力させ、これを各々受け付ける。各々、選択メニューにないものは手入力可能である。
【００３６】
頁掛数処理部３０は、少なくとも、初期設定部１０を介して設定した頁数、仕上がりサイズ、製本様式、および基本項目設定部２０を介して設定した原紙サイズに基づき、頁掛数を算出する。
【００３７】
頁掛数は面積比率に基づいて、損失が出ない程度に略正確な決定ができる。従って、頁掛数を決定するためには、印刷に用いる原紙の大きさ、各頁の大きさ、余白、綴じ方等のデータが必要である。このとき、原紙サイズが印刷用紙全体の大きさを決定するデータとなり、仕上がりサイズが各頁の大きさを決定するデータとなり、製本様式が綴じ方や余白を決定するデータ項目となる。頁数は、頁掛数に基づいて印刷時の台数を算出するための基礎データとなる。
【００３８】
従って、かかる構成によれば、オフセット枚葉機を用いた頁物印刷物の作成時に最も煩雑な事務作業となる頁掛数と台数の決定を、比較的容易な設定項目の入力操作と選択操作によって行うことが可能となる。熟練の度合いによって結果が左右される恣意的な処理ではないから、経験が浅い者であっても略正確な頁掛数と台数を得て爾後の事務処理を円滑に遂行することができる。コンピュータの操作に不慣れな者であっても、操作は容易である。恣意的な処理によって損失を発生させることもないし、価格競争でも最善の額を提示することが可能となる。
【００３９】
図２は、本考案に係る頁物印刷物の作成支援装置の第二の実施形態を示す図である。この作成支援装置は、前記実施形態に係る装置と同様に各種項目の設定を受け付ける初期設定部１０と基本項目設定部２０とを備え、これらに基づいて頁掛数を算出する頁掛数処理部３０とを備える。また、正味枚数算出部４０、台数算出部４２、刷版数算出部４３、通し枚数算出部４４、損紙枚数算出部４６を備える。４７は、損紙枚数を計算するためのデータを格納した損紙枚数格納部である。この損紙枚数格納部４７は、刷色数と通し枚数（正味通し枚数）とに基づいて設定した損紙枚数テーブルである。
【００４０】
正味枚数算出部４０は、初期設定部１０を介して設定した頁物印刷物の頁数および部数と、頁掛数処理部３０によって算出された頁掛数とに基づきオフセット枚葉機で使用する用紙の必要な正味枚数を算出する。
【００４１】
正味枚数は、頁物印刷物の総頁を取るのに必要な全判枚数に部数を掛けた値である。頁物印刷物の頁数と部数、および頁掛数に基づけば、この値は、損失が出ない範囲において正確に算出できる。恣意的な計算数値ではないから結果数値の信頼性は高い。
【００４２】
台数算出部４２は、初期設定部１０を介して設定した頁物印刷物の頁数と、頁掛数処理部３０によって算出された頁掛数とに基づき、刷版数の算出と印刷時間の推定のための基礎となる台数を算出する。台数とは、印刷を実行する前に印刷機にセットするPS版（アルミニウムに感光剤を塗布したPre-Sensitized Plate）の組み付け回数（表裏で２回）のことである。台数は、刷版費用と印刷費用に直結する重要な項目であるから、頁物印刷物の頁数と頁掛数から正確に算出しておく。
【００４３】
刷版数算出部４３は基本項目設定部２０を介して設定した刷色数と、台数算出部４２によって算出された台数とに基づき、刷版数（PS版の枚数）を算出する。刷版数は、台数×刷色数で求められる。打ち返しという印刷手法を用いるならば、この刷版数は半分となるが、通し枚数は２倍となる。
【００４４】
通し枚数算出部４４は、初期設定部１０を介して設定した頁物印刷物の頁数および部数と、頁掛数処理部３０によって算出された頁掛数とに基づき、印刷に必要な通し枚数（正味通し枚数）を算出する。
【００４５】
頁数や部数が多い場合など、同一のPS版に通す枚数が多くなると品質低下が生ずるので、通し枚数が一定になったときはPS版を取り替える必要がある。PS版は、刷版費用を左右する重要な項目であるから、頁数、部数、頁掛数から予め正確な予定数を算出しておく。
【００４６】
損紙枚数算出部４６は、通し枚数算出部４４の算出結果と損紙枚数格納部４７のデータとに基づいて損紙枚数を算出する。
【００４７】
損紙は、いかなる印刷機を使用するにしても、ある程度の割合で必ず発生するが、これをできるだけ正確に想定するには、損紙の発生数を刷色数と通し枚数とによって予めテーブル状にまとめて損紙枚数格納部４７に格納しておき、基本項目設定部２０を介して設定した刷色数と、通し枚数算出部４４によって算出される通し枚数に基づいて、損紙枚数格納部４７のデータを参照すれば、当該頁物印刷物の印刷において発生するであろう損紙の数を略正確に算出できる。担当者の恣意的な判断ではないので、高い信頼性を確保できる。
【００４８】
従って、かかる構成によれば、オフセット枚葉機を用いた頁物印刷物の作成時に必要となる頁掛数算出処理以降の繁雑な事務計算も、恣意的な判断を介在させることなく、正確かつ速やかに処理することができる。正味枚数、損紙枚数、台数、通し枚数、および用紙の価格や刷版料金、印刷料金の算定は、概ね担当者の経験や恣意によってなされるが、経験の浅い者であってもベテラン担当者と遜色のない算定結果を速やかに得ることができるので、熟練者が少ない出版・印刷企業でも、価格およびサービスの面で高い競争力を獲得することが可能となる。
【００４９】
図３は、オフセット枚葉機を用いた頁物印刷物の本文箇所作成時に必要となる、用紙、刷版、印刷に係る費用の概算を算出する見積処理部５０を例示するものである。
【００５０】
この見積処理部５０は、すでに説明した前記頁掛数処理部３０、前記正味枚数算出部４０、前記台数算出部４２、前記刷版数算出部４３、前記通し枚数算出部４４、前記損紙枚数算出部４６に基づいて、用紙の仕入、刷版作業、印刷作業といった各ステップで必要となる費用概算をそれぞれ算出する機能を備える。具体的には、例えば、用紙金額算出部５１、面付料金算出部５２、焼付料金算出部５３、組付料金算出部５４、通し料金算出部５５、刷版・印刷料金格納部５８である。
【００５１】
用紙金額算出部５１は、正味枚数算出部４０によって算出された正味枚数と、基本項目設定部２０を介して指定された用紙名および用紙連量に基づき、正味枚数金額を算出するとともに、損紙枚数算出部４６によって算出された損紙枚数と、基本項目設定部２０を介して指定された用紙名および用紙連量に基づき、損紙枚数金額を算出する。正味枚数金額と損紙枚数金額との合計が用紙金額となる。用紙金額算出部５１を介して得た各数値と合計数値のデータは、周辺機器、例えば、モニタ装置Ｍ、プリンタ装置Ｐへ出力可能とする。Ｔは、合計金額を算出する加算処理部である。
【００５２】
面付料金算出部５２は、頁掛数処理部３０において算出された頁掛数と、台数算出部４２において算出された台数、刷版・印刷料金格納部５８に格納した料金テーブルに基づいて、面付処理に要する費用の概算を算出する。面付料金は、面付単価×頁掛数（面付数）×台数で求められる。刷色数は、面付料金に関わらない。刷版・印刷料金格納部５８に格納する料金テーブルは、ある程度の範囲で自由に設定できる数値（いわゆる基準値）があるので、この基準値を用いた場合は、恣意的な数値設定をするよりも損失を発生させずに競争力の高い概算結果を得ることができる。面付料金算出部５２を介して得た数値データは、周辺機器、例えば、モニタ装置Ｍ、プリンタ装置Ｐへ出力可能とする。
【００５３】
焼付料金算出部５３は、刷版数算出部４３において算出された刷版数（必要とされるPS版の枚数）と、刷版・印刷料金格納部５８に格納した料金テーブルに基づいて、PS版の焼付処理に要する費用の概算を算出する（その他、原紙サイズなどを参照してもよい）。焼付料金算出部５３を介して得た数値データは、周辺機器、例えば、モニタ装置Ｍ、プリンタ装置Ｐへ出力可能とする。
【００５４】
組付料金算出部５４は、台数算出部４２において算出された台数と、刷版・印刷料金格納部５８に格納した料金テーブルに基づいて、PS版の組付処理に要する費用の概算を算出する（その他、原紙サイズ、刷色数などを参照してもよい）。組付料金算出部５４を介して得た数値データは、周辺機器、例えば、モニタ装置Ｍ、プリンタ装置Ｐへ出力可能とする。
【００５５】
通し料金算出部５５は、通し枚数算出部４４において算出された通し枚数と、刷版・印刷料金格納部５８に格納した料金テーブルに基づいて、通し料金の概算を算出する（その他、原紙サイズなどを参照してもよい）。通し料金算出部５５を介して得た数値データは、周辺機器、例えば、モニタ装置Ｍ、プリンタ装置Ｐへ出力可能とする。
【００５６】
従って、かかる見積処理部５０を備えた場合は、依頼者との打ち合わせにおいて話し合った頁物印刷物のサイズや部数に基づいて、当該印刷物の用紙、刷版、印刷に要する費用の概算を、恣意的判断を排して算出することができる。印刷業務に習熟していない者であっても、損失が出ない範囲で概算結果を速やかに得ることができるので、競合他社との価格競争において効果を奏する。
【００５７】
初期設定部１０と基本項目設定部２０を使用して、いくつかの項目設定を行えば、容易に費用概算の見積が作成できるので、依頼者が急いでいる場合でも過剰請求や過小請求を行う計算ミスを防止しつつ、すみやかに依頼者に費用概算を伝達できるメリットがある。
【符号の説明】
【００５８】
１０  初期設定部（初期設定手段）
２０  基本項目設定部（基本項目設定手段）
３０  頁掛数処理部
４０  正味枚数算出部
４２  台数算出部
４３  刷版数算出部
４４  通し枚数算出部
４６  損紙枚数算出部
４７  損紙枚数格納部
５０  見積処理部
５１  用紙金額算出部
５２  面付料金算出部
５３  焼付料金算出部
５４  組付料金算出部
５５  通し料金算出部
５８  刷版・印刷料金格納部
【図１】
0003177655.tif 000003
【図２】
0003177655.tif 000004
【図３】
0003177655.tif 000005
【図４】
0003177655.tif 000006
【図５】
0003177655.tif 000007